(57)【要約】  デバイス（１００）が、充電回路（１１０）から受信した入力電圧及び入力電流に基づいてバッテリー出力電圧をレギュレートするための充電コントローラ（１４０）を含む。ループコントローラ（１５０）が、充電コントローラへの入力電圧を調節するようにフィードバック信号（１９４）を生成するため入力電圧及び入力電流を監視する。
2015503890.tif 000002
【特許請求の範囲】
【請求項１】
方法であって、
充電回路から受信した入力電圧及び入力電流に基づいて内部制御ループを介してバッテリー電圧及び電流を制御すること、
トランスミッタを介して、前記充電回路における前記入力電圧及び前記入力電流を制御すること、
充電コントローラへの前記入力電圧を調節するように第１のフィードバック信号を生成するため、第１の外部制御ループを介して、前記入力電圧を監視すること、及び
前記内部制御ループへの前記入力電圧を調節するように第２のフィードバック信号を生成するため、第２の外部制御ループを介して、前記入力電流を監視すること、
を含む、方法。
【請求項２】
請求項１に記載の方法であって、トランスミッタコントローラが、前記充電回路における前記入力電圧及び前記入力電流を制御するためＰＩＤ（比例積分微分）ループを用いる、方法。
【請求項３】
請求項１に記載の方法であって、前記バッテリー電圧を制御するため調整スイッチを用いることを更に含む、方法。
【請求項４】
デバイスであって、
充電回路から受信した入力電圧及び入力電流に基づいてバッテリーをレギュレートするように構成される充電コントローラ、
前記充電コントローラへの前記入力電圧を調節するように第１のフィードバック信号を生成するため前記入力電圧を監視するように構成される第１のループコントローラ、及び
前記充電コントローラへの前記入力電圧を調節するように第２のフィードバック信号を生成するため前記入力電流を監視するように構成される第２のループコントローラ、
を含む、デバイス。
【請求項５】
請求項４に記載のデバイスであって、前記充電回路がトランスミッタ回路及びレシーバ回路を更に含み、前記トランスミッタ回路及び前記レシーバ回路が、エネルギーを前記充電コントローラ及び前記第１及び第２のループコントローラに誘導的に結合する、デバイス。
【請求項６】
請求項５に記載のデバイスであって、前記トランスミッタ回路が、前記第１のフィードバック信号及び第２のフィードバック信号に基づいて電圧及び電流を制御するためにＰＩＤ（比例積分微分）アルゴリズムを実行する、デバイス。
【請求項７】
請求項４に記載のデバイスであって、前記バッテリーにおいて電圧及び電流をレギュレートするためレギュレートされた入力電圧を受け取る調整スイッチを更に含む、デバイス。
【請求項８】
請求項７に記載のデバイスであって、前記調整スイッチをバイアスするために電流源を更に含む、デバイス。
【請求項９】
請求項７に記載のデバイスであって、前記充電コントローラが、入力電流を監視するための電流感知増幅器と、前記調整スイッチを制御するため出力電圧を監視するための電圧感知増幅器とを更に含む、デバイス。
【請求項１０】
請求項９に記載のデバイスであって、前記電流感知増幅器が、前記入力電流を基準として用い、前記調整スイッチを制御するため前記基準を、充電基準信号、プリチャージ基準信号、又は熱的充電基準信号と比較する、デバイス。
【請求項１１】
デバイスであって、
充電回路から受信した入力電圧及び入力電流に基づいてバッテリー出力電圧をレギュレートするように構成される充電コントローラ、及び
前記充電コントローラへの前記入力電圧を調節するようにフィードバック信号を生成するため前記入力電圧及び前記入力電流を監視するように構成されるループコントローラ、
を含む、デバイス。
【請求項１２】
請求項１１に記載のデバイスであって、前記ループコントローラが第１のループコントローラであり、前記デバイスが、前記入力電流をレギュレートするための第２のループコントローラを更に含む、デバイス。
【請求項１３】
請求項１２に記載のデバイスであって、前記フィードバック信号が第１のフィードバック信号であり、前記デバイスが、前記第２のループコントローラにより生成され、且つ、前記バッテリー出力電圧の調整を促進するため前記充電回路に提供される、第２のフィードバック信号を更に含む、デバイス。
【請求項１４】
請求項１３に記載のデバイスであって、前記充電回路が、前記充電コントローラへの前記入力電圧を調節するように前記フィードバック信号及び前記第２のフィードバック信号を処理するために制御アルゴリズムを実行するように構成される、デバイス。
【請求項１５】
請求項１２に記載のデバイスであって、前記第２のループコントローラが、前記バッテリー出力電圧を駆動する調整スイッチのダイ温度を制御するために用いられる、デバイス。
【請求項１６】
請求項１５に記載のデバイスであって、前記調整スイッチが、レギュレートされた入力電圧を受け取り、且つ、前記バッテリー出力電圧をレギュレートするために前記充電コントローラにより制御される、デバイス。
【請求項１７】
請求項１６に記載のデバイスであって、前記充電コントローラが、電流を監視するための第１の増幅器と、電圧を監視するための第２の増幅器とを更に含み、前記それぞれの増幅器の出力が、前記調整スイッチを制御するためワイヤードＯＲ構成で接続される、デバイス。
【請求項１８】
請求項１７に記載のデバイスであって、前記調整スイッチの制御を促進するため前記ワイヤードＯＲ構成に電流を供給するための電流源を更に含む、デバイス。
【請求項１９】
請求項１７に記載のデバイスであって、電流を監視するための前記第１の増幅器が、前記調整スイッチの制御を促進するため、充電基準信号、プリチャージ基準信号、又は熱的充電基準信号を含む少なくとも１つの入力を受け取る、デバイス。
【請求項２０】
請求項１１に記載のデバイスであって、前記ループコントローラが、前記充電コントローラに対する基準電圧を供給するためアナログデジタルコンバータを更に含む、デバイス。
【発明の詳細な説明】
【技術分野】
【０００１】
誘導性充電器は、エネルギーを搬送するために電磁場を用いる。充電ステーションが、誘導性結合を介して電気的デバイスにエネルギーを送り、電気的デバイスは、このエネルギーを例えばバッテリーにストアする。誘導性充電器は典型的に、充電基地局内からの交番電磁場を提供するための第１の誘導コイルと、この電磁場から電力を受け取りバッテリーを充電するためそれを電流に変換するポータブルデバイス内の第２の誘導コイルとを用いる。近接するこれら２つの誘導コイルは組み合わさって電気的変圧器を形成する。
【発明の概要】
【０００２】
誘導性結合充電器が提供される。一例において、充電回路から受信した入力電圧及び入力電流に基づいてバッテリー出力電圧をレギュレートするため充電コントローラを含むデバイスが提供される。充電コントローラへの入力電圧を調節するようにフィードバック信号を生成するため入力電圧及び入力電流を監視するループコントローラが提供され得る。
【０００３】
別の例では、デバイスが、充電回路から受信した入力電圧及び入力電流に基づいてバッテリーをレギュレートするための充電コントローラを含む。第１のループコントローラが、充電コントローラへの入力電圧を調節するように第１のフィードバック信号を生成するため入力電圧を監視する。第２のループコントローラが、充電コントローラへの入力電圧を調節するように第２のフィードバック信号を生成するため入力電流を監視する。
【０００４】
更に別の例において或る方法が提供される。この方法は、充電回路から受信した入力電圧及び入力電流に基づいて内部制御ループを介してバッテリー電圧及び電流を制御することを含む。これは、充電回路における入力電圧及び入力電流を制御するためトランスミッタコントローラを用いることを含む。この方法は、入力電圧を監視するため、及び充電コントローラへの入力電圧を調節するように第１のフィードバック信号を生成するため第１の外部制御ループを用いることを含む。この方法は更に、入力電流を監視するため、及び内部制御ループへの入力電圧を調節するように第２のフィードバック信号を生成するため第２の外部制御ループを用いることを含む。
【図面の簡単な説明】
【０００５】
【図１】図１は、誘導性結合充電器デバイスの一例を図示する。
【０００６】
【図２】図２は、バッテリー負荷電圧及び電流を制御するため単一の外部ループコントローラを用いる誘導性結合充電器デバイスの一例を図示する。
【０００７】
【図３】図３は、バッテリー負荷電圧及び電流を制御するため２つの外部ループコントローラを用いる誘導性結合充電器デバイスの一例を図示する。
【０００８】
【図４】図４は、誘導性結合充電器デバイスの一部として用いられ得る例示のトランスミッタ及びレシーバ回路を図示する。
【０００９】
【図５】図５は、誘導性結合充電を介してバッテリーを充電するための例示の方法を図示する。
【発明を実施するための形態】
【００１０】
図１は、誘導性結合充電器デバイス１００の一例を図示する。誘導性結合充電器デバイス１００（充電器デバイスと呼ぶこともある）は、充電器（例えば、ワイヤレス携帯電話バッテリー充電器）のオペレーションを効率的に制御するため、複数レベルの、閉ループ電圧、電流、及び／又は温度制御を提供する。充電器デバイス１００は、ＶＲＥＧとして示されるレギュレートされたＤＣ電力を供給する誘導性結合充電回路１１０（充電回路と呼ぶこともある）を含み得る。充電回路１１０は、電力をワイヤレスに伝送するための変圧器（図示せず）を含み得、変圧器に供給される電圧を制御するためのトランスミッタコントローラ（図示せず）を含み得る。充電回路の一例を図４に関して後に説明する。レギュレートされた電圧ＶＲＥＧは電流感知回路１３０を介して感知され得、電流感知回路１３０は、電流Ｉ−ＳＥＮＳＥを充電コントローラ１４０及びループコントローラ１５０に供給し、これらは負荷電圧及びバッテリー１７０に供給される電流ＶＩ−ＬＯＡＤを制御するように共に機能する。充電コントローラ１４０は、Ｉ−ＳＥＮＳＥ及びＶＩ−ＬＯＡＤを監視しつつ、ループコントローラ１５０から基準電圧ＶＯ−ＲＥＦを受け取る。充電コントローラ１４０は、バッテリー１７０を充電するため電圧及び電流両方を供給する調整スイッチ１９０を介して負荷電圧及び電流ＶＩ−ＬＯＡＤを制御する。
【００１１】
一例として、充電コントローラ１４０が出力電圧及び電流ＶＩ−ＬＯＡＤに対する内部ループコントローラとして機能するのに対し、ループコントローラ１５０は、充電回路１１０において生成される入力電圧をフィードバック１９４を介して制御する外部ループコントローラとして機能する。そのため、充電コントローラ１４０及びループコントローラ１５０は、閉ループ方式で出力電圧及び電流ＶＩ−ＬＯＡＤを制御するため充電回路１１０におけるトランスミッタコントローラと協働する。図示するように、ループコントローラ１５０は、充電回路１１０にフィードバック１９４を生成するためI−ＳＥＮＳＥからの電流及び電圧ＶＲＥＧを監視する。
【００１２】
図３に関連して後に説明するように、バッテリー１７０におけるＶＩ−ＬＯＡＤの一層効率的な生成及び制御に対する付加的な制御を提供するために、第２のループコントローラ（図示せず）が充電器デバイス１００に付加され得る。例えば、１つのコントローラは、ＶＲＥＧを監視すること及びフィードバック１９４を生成すること専用であり得、これに対し、第２のコントローラは、図３に関連して図示及び説明するようにI−ＳＥＮＳＥを監視し得、且つ、充電回路に第２のフィードバック（図示せず）を生成し得る。
【００１３】
充電コントローラ１４０は、調整スイッチ１９０を介してＶＩ−ＬＯＡＤを制御するためＩ−ＳＥＮＳＥ及びループコントローラ１５０からの電流及び電圧フィードバック両方に応答するように構成される個別のデバイスを含み得る。ループコントローラ１５０は、制御アルゴリズムを実行するためのプロセッサを含み得、アナログデジタルコンバータ（ＡＤＣ）などの他の要素を含み得る（例えば、ループコントローラにおける他の回路構成要素の中でも集積されたプロセッサ及びＡＤＣであり得る）。制御アルゴリズムは、トランスミッタ及びレシーバ（図４に関して後に記す）を結合するグローバル制御ループとして用いられ得、ここで、トランスミッタとは誘導性結合充電回路１１０の一次側を指し、レシーバとは充電回路の二次側を指す。一例において、レシーバは、実質的に任意の変数（例えば、整流器電圧、出力電流など）を監視及び制御し得る。レシーバは、測定された制御変数と、制御変数に対する目標値との間の％差を計算することができ、この値をトランスミッタに送る（例えば、％Ｅｒｒｏｒ＝１００×（Ｄｅｓｉｒｅｄ−Ａｃｔｕａｌ）／Ｄｅｓｉｒｅｄ）。フィードバック１９４を介して％エラーメッセージを受け取ると、トランスミッタは、局所的ＰＩＤ（比例積分微分）ループを実行することができ、局所的ＰＩＤループは、制御変数を動かすことができ、測定されたピーク一次電流をレシーバにより計算された％エラー値分シフトさせるよう試みることができる。これは、レシーバに搬送される電力を変えることができ、そのため、レシーバ制御変数をその目標値近くにすることができる。
【００１４】
説明を簡単にするため、この例において、デバイス１００の異なる構成要素は異なる機能を行うものとして図示及び説明する。しかし、当業者であれば、説明する構成要素の各々の機能が１つ又は複数の異なる構成要素により実行され得、又は幾つかの構成要素の機能性が組み合わされ得、単一の構成要素で実行され得ることを理解及び認識し得る。
【００１５】
図２は、バッテリー負荷電圧及び電流を制御するために単一の外部ループコントローラ２０４を用いる誘導性結合充電器デバイス２００の一例を図示する。充電器デバイス２００は、レギュレートされたＤＣ出力電圧ＶＲＥＧを生成する誘導性結合充電回路２１０を含む。電流感知回路２２０が、電圧及び電流を調整スイッチ２２４に供給し、調整スイッチ２２４は、バッテリー２３０に搬送される電圧及び電流を制御する。充電コントローラ２３４が調整スイッチ２２４を制御する。充電コントローラ２３４は、電流感知回路２２０からのセンサ信号Ｉ−ＳＥＮＳＥを監視するための増幅器２４０と、バッテリー出力電圧を監視する増幅器２４４とを含む。充電コントローラ２３４は、調整スイッチ２２４をバイアスする電流源２５０（例えば、チャージポンプ）を含む。増幅器２４０及び２４４からの出力は、電流源２５０の出力において調整スイッチ２２４をそれぞれ制御するため、ダイオード２６０及び２６４を介して論理ＯＲされる。電流感知回路２２０により生成されるＩ−ＳＥＮＳＥに比例する基準電圧を確立するためにレジスタ２７０を用いることができる。基準電圧は、増幅器２４０に対する基準として及び外部ループコントローラ及びＡＤＣ２７４に対する入力基準として用いられ得る。
【００１６】
増幅器２４０は、２８０における種々のスイッチングされた入力を監視することができ、例えば、調整スイッチ２２４の制御を促進するため、充電基準信号入力Ｉ−１、プリチャージ基準信号入力Ｉ−２、又は熱的充電基準信号入力Ｉ−３を含み得る。２８０における入力は、増幅器２４０におけるI−ＳＥＮＳＥ基準電圧２７０との比較のため電圧に変換され得るように電流を感知する。ループコントローラは、アナログデジタルコンバータ（ＡＤＣ）を含み得、ループコントローラ及びＡＤＣの内部機能をバイアスするため外部基準電圧ＶＲＥＦに加えてI−ＳＥＮＳＥ及びＶＲＥＧを監視し得る。ループコントローラ２０４によりフィードバック信号２９０が生成され得、このようなフィードバックは、誘導性結合充電回路２１０の誘導性一次及び二次要素を介して通信され得るデジタル信号として提供され得る。図示されるように、バッテリー出力電圧に接続される電圧入力信号２９４がループコントローラ２０４によって処理され得る。ループコントローラ２０４は、入力電圧ＶＲＥＧ及びバッテリー出力電圧を測定し、出力電圧を上回る入力電圧を、調整スイッチ２２４をサチュレーションで動作させるために適切な量駆動する。
【００１７】
一例において、充電コントローラ２３４は、入力電流感知２２０を用いる線形充電コントローラであり得る。図示するように、２つのアナログループが電流源２５０の出力において共にＯＲされ得、ここで、１つのアナログループは増幅器２４０を介して電流を調整することができ、１つのアナログループは増幅器２４４を介して電圧を調整することができる。デバイス２００は、レシーバをトランスミッタ（誘導性結合充電回路２１０内部）に接続するためワイヤレス制御ループを提供することができ、レシーバは、レシーバ入力電圧を制御するためフィードバック２９０を介して命令をトランスミッタに送る。
【００１８】
一例として、ワイヤレス制御ループは次のように動作し得る。ループコントローラ２０４及びＡＤＣは、入力電圧、出力（バッテリー）電圧、及び出力電流を監視し得る。ループコントローラは、整流器電圧（後に記載の図４参照）を所望の値まで制御するためフィードバック２９０を充電回路２１０内のトランスミッタに送ることができる。充電コントローラ２３４が電流調整にある場合、ループコントローラ２０４は、ＶＤＳ（電圧ドレイン・ソース）がＶＤＳＡＴ（ドレインサチュレーション電圧）より大きいとき、調整スイッチ２２４（例えば、ＦＥＴ）をサチュレーションで保ち得る所与のマージン分、整流器電圧を、バッテリー電圧を上回るように制御するようにフィードバック２９０を介してデジタルパケットを送ることができる。この場合、充電コントローラ２３４の内部アナログループは、バッテリー２３０への出力電流の値を設定する。同様に、プリチャージ又は熱的フォールドバック（fold-back）状態において、充電コントローラ２３４の内部アナログループは出力電流を設定することができ、ワイヤレスループはそのため、調整スイッチ２２４をサチュレーションで保つように入力電圧を制御すべきである。電圧調整がアクティブであるとき、ワイヤレスループは、整流器電圧ＶＲＥＧを定数レベル（例えば、５Ｖ）に設定し得る。
【００１９】
図３は、バッテリー負荷電圧及び電流を制御するため２つの外部ループコントローラ３０４及び３０６を用いる誘導性結合充電器デバイス３００の一例を図示する。図２の充電器に類似して、充電器デバイス３００は、レギュレートされたＤＣ出力電圧ＶＲＥＧを生成する誘導性結合充電回路３１０を含む。感知回路３２０が電圧及び電流を調整スイッチ３２４に供給し、調整スイッチ３２４は、バッテリー３３０に搬送される電圧及び電流を制御する。充電コントローラ３３４が調整スイッチ３２４を制御する。充電コントローラ３３４は、電流I−ＳＥＮＳＥを監視するための増幅器３４０と、バッテリー出力電圧を監視する増幅器３４４とを含む。充電コントローラ３３４は、調整スイッチ３２４をバイアスする電流源３５０（例えば、チャージポンプ）を含む。増幅器３４０及び３４４からの出力は、電流源３５０の出力において調整スイッチ３２４をそれぞれ制御するため、ダイオード３６０及び３６４を介してＯＲされる。電流I−ＳＥＮＳＥに比例する基準電圧を確立するためにレジスタ３７０を用いることができる。基準電圧は、増幅器３４０に対する基準として及び第１の外部ループコントローラ１  ３０４に対する入力基準として用いられ得る。
【００２０】
増幅器３４０は、３８０における種々のスイッチングされた電流入力を監視することができ、例えば、オペレーションの異なるモードの間の調整スイッチ３２４の制御を促進するため、充電基準信号入力Ｉ−１、プリチャージ基準信号入力Ｉ−２、又は熱的充電基準信号入力Ｉ−３を含み得る。３８０における入力は、増幅器３４０におけるＩ−ＳＥＮＳＥ基準電圧３７０との比較のため電圧に変換され得るように電流を感知する。第１の外部ループコントローラ１  ３０４は、ＡＤＣの内部機能をバイアスするため外部基準電圧ＶＲＥＦ３８４に加えてＶＲＥＧを監視し得る。ループコントローラにより第１のフィードバック信号３９０が生成され得、このようなフィードバックが、誘導性結合充電回路３１０の誘導性一次及び二次要素を介して通信されるデジタル信号として提供され得る。電圧出力信号３９２が、ループコントローラ１  ３０４により生成され得、増幅器３４４により基準信号（例えば、所望のバッテリー電圧レベルを通信するための信号）として用いられ得る。
【００２１】
図示するように、デバイス３００は、電流I−ＳＥＮＳＥを監視するため及び電圧点３９６及び入力３９７を介するスイッチングされた入力電流３８０を監視するため、３０６において第２の外部ループコントローラ２を含み得る。電流に対する制御フィードバックを表す第２のフィードバック３９８が充電回路３１０に供給される。第１のフィードバック３９０及び第２のフィードバック３９８は、代替的に、誘導性結合充電回路３１０に通信する同じ通信チャネルに多重化され得ることに留意されたい。
【００２２】
図示するように、図１及び図２のループコントローラは、第２のコントローラ３０６として表されるＩ−チャネルコントローラと、第１のコントローラ３０４として表されるＶ−チャネルコントローラに区分され得る。充電器３００と図２の例に示した充電器２００との違いの１つは、３９０及び３９８におけるフィードバックメッセージがどのように演算され、送信されるかである。図２の充電器では、フィードバックは、整流器電圧を或るレベルまで制御するように及び調整スイッチがサチュレーションのままであることを確実にするように送られ得る。充電器３００では、電圧ループが増幅器３４４を介してアクティブである一方で、整流器電圧ＶＲＥＧがやはり制御され得る。また、電流ループが増幅器３４０を介してアクティブであるとき出力電流は直接的に制御され得る。
【００２３】
更なる例として、充電器３００において、バッテリー３３０への出力電流は次のように制御され得る。概して、３０６におけるループコントローラ２は、３９９において或る基準電圧（例えば、アナログループ調整電圧を下回る１．１Ｖ）を有し得る。３０６におけるループコントローラ２が、定義された調整閾値に電流が達したことを検出すると、それは、実際の整流器電圧に関係なく、フィードバック３９８を介して電流をこのレベルまで制御するようにメッセージをトランスミッタに送ることができる。
【００２４】
実際には、ループコントローラ３０６により制御されるループは出力電流を低減するよう試み得、この機能を実行するため、このループは整流器電圧を低減する必要があり得る。ループコントローラ３０６電流閾値は概してアナログ電流調整閾値を下回るため、調整スイッチ３２４は、この動作点に達するために三極管モードで動作すべきである。これは、所与の調整スイッチＲＤＳ−ＯＮパラメータに対し、例えば、レシーバが任意の電流調整点において最大限効率的であるべきであることを確実にすることを助ける。
【００２５】
従来の幾つかのバッテリー充電器において、熱的調整は、ダイ温度が或る閾値（例えば、１２５℃）を超えるとき、調整スイッチの増大するダイ温度に比例して充電電流調整閾値を低減することによって実装され得、これは、オペレーションの非効率及び不安定手段となり得る。実際には、この種の制御は、出力電流を低い値に駆動する一方で、同時にＶＲＥＧを高い値まで駆動し得、これは温度を熱的調整領域を越えて低下させ得る。これは、充電電流をその元の値まで戻し得、これが、後続のサイクルにおいてレシーバを熱的調整領域に入らせ得る。このようにして、レシーバは、熱的調整の中及び外で往復し得る。デバイス３００において、このような安定性及び効率の問題は、第２のループコントローラ３０６によって提供される熱的調整ループで緩和され、そのため、後に説明するように所与のシステムに対し熱的限界（例えば、最大電流）で適切に動作し得る。
【００２６】
熱的調整に関して、レシーバ温度が熱的限界を上回って動作するとき、調整スイッチ３２４を介して充電電流を低減するため電流調整閾値が低下し得る。しかし、この電圧は、Ｉ−チャネルコントローラ３０６に対する基準電圧３９７でもあるため、ワイヤレスループは、温度を低減するため充電電流を低減するようにフィードバック３９８を介してトランスミッタにメッセージを自動で送ることができる。概して、充電電流を低減するためのシステムに対する唯一の方式は、トランスミッタにおける入力電圧を低減することであり、これは、レシーバ電力放散が低減されることを示唆する。熱的ループは、電力放散が単調に低減されるような方式で動作するため、この熱的制御ループは実質的に安定的である。
【００２７】
図４は、本明細書（例えば、図１〜図３）に開示するように、誘導性結合充電器デバイスの一部として用いられ得る例示のトランスミッタ及びレシーバ回路４００を図示する。図１〜図３において上述したような誘導性結合充電回路を破線４０２で表す。トランスミッタ４０８とレシーバ４１０がバッテリー４１４を充電するために用いられ、トランスミッタ４０８とレシーバ４１０との間のエネルギーを変圧器４０４が結合する。トランスミッタ４０８は、パワートランジスタ４１８及び４２０を駆動するコントローラ４１６（例えば、ＰＩＤコントローラ）を含み、パワートランジスタ４１８及び４２０は変圧器４０４の一次側を駆動する。インピーダンスマッチングキャパシタ４２４が提供され得る。フィードバック４２８が、レシーバ４１０から受信され、レジスタ４３０を介して発達され得る。レシーバ４１０はマッチングキャパシタ４３４を含み得、マッチングキャパシタ４３４は、整流されたＤＣ電圧ＶＲＥＧを生成するため変圧器４０４から整流器４４０への二次電圧を供給する。電圧ＶＲＥＧは充電コントローラ４５０に供給され、充電コントローラ４５０は、前に説明したようにアナログ制御を介してバッテリー４１４への電圧及び電流をレギュレートする。４５４においてレギュレータ平滑キャパシタが提供され得る。図示するように、ループコントローラ４６０（例えば、図１のループコントローラ１５０）が提供され得、ループコントローラ４６０は、トランジスタ４６４及び４７０を介してフィードバックを提供する。フィードバックを変圧器４０４の二次に結合するためにキャパシタ４７４及び４８０を用いることができる。トランジスタ４６４及び４７０を介するフィードバックは、図２に示すフィードバック２９０に対応し得る。
【００２８】
上述の構造的及び機能的特徴を考慮すると、図５を参照して例示の方法が一層よく分かるであろう。説明を簡潔にするため、この方法は順次実行するように示され説明されるが、この方法の一部は、本明細書に図示し記載したものとは異なる順序及び／又は同時に生じ得るため、この方法は図示した順序に制限されないことを理解及び認識されたい。このような方法は、例えば、ＩＣ又はコントローラにおいて構成される種々の構成要素により実行され得る。
【００２９】
図５は、誘導性結合充電を介してバッテリーを充電するための例示の方法を図示する。５１０に進むと、方法５００は、５１０において、充電回路から受信した入力電圧及び入力電流に基づいて内部制御ループ（例えば、図１の充電コントローラ１４０）を介してバッテリー電圧及び電流を制御することを含む。５２０において、方法５００は、充電回路における入力電圧及び入力電流を制御するためトランスミッタコントローラ（例えば図４のコントローラ４１６）を用いることを含む。５３０において、方法５００は、入力電圧を監視するため及び充電コントローラへの入力電圧を調節するように第１のフィードバック信号を生成するため第１の外部制御ループ（例えば、図３のコントローラ３０４）を用いることを含む。５４０において、方法５００は、入力電流を監視するため及び内部制御ループへの入力電圧を調節するように第２のフィードバック信号を生成するため第２の外部制御ループ（例えば、図３のコントローラ３０６）を用いることを含む。トランスミッタコントローラは、例えば、充電回路における入力電圧及び入力電流を制御するためＰＩＤループを用いることができる。方法５００は更に、バッテリー電圧を制御するため調整スイッチを用いることを含むこともできる。
【００３０】
本発明に関連する技術に習熟した者であれば、本発明の特許請求の範囲内で、説明した例示の実施例に変形が成され得ること、及び他の実施例を実装し得ることが分かるであろう。
【図１】
2015503890.tif 000003
【図２】
2015503890.tif 000004
【図３】
2015503890.tif 000005
【図４】
2015503890.tif 000006
【図５】
2015503890.tif 000007
【国際調査報告】
2015503890.tif 000008
2015503890.tif 000009